(57)【要約】【課題】燃料電池システムにおいて、燃料電池の出力診断精度を向上させる。【解決手段】反応ガスの供給を受けて発電を行う燃料電池２と、燃料電池２の出力を診断する出力診断手段５と、を備える燃料電池システム１である。出力診断手段５は、燃料電池２に供給される反応ガスに含まれる反応気体量が最大である時の燃料電池２の出力を診断対象出力として算出するとともに、診断対象出力が所定の判定値以上であるか否かを判定し、診断対象出力が前記判定値未満である場合に燃料電池２の出力が異常であると診断する。【選択図】図１
2008262875.tif 000002
【特許請求の範囲】
【請求項１】
反応ガスの供給を受けて発電を行う燃料電池と、この燃料電池の出力を診断する出力診断手段と、を備える燃料電池システムであって、
前記出力診断手段は、前記燃料電池に供給される反応ガスに含まれる反応気体量が最大である時の前記燃料電池の出力を診断対象出力として算出するとともに、前記診断対象出力が所定の判定値以上であるか否かを判定し、前記診断対象出力が前記判定値未満である場合に前記燃料電池の出力が異常であると診断するものである、
燃料電池システム。
【請求項２】
前記燃料電池に反応ガスを供給する反応ガス供給装置と、
前記燃料電池の出力を検出する出力センサと、
前記燃料電池に供給される反応ガスの温度を検出する温度センサと、を備え、
前記出力診断手段は、前記反応ガス供給装置の最大出力時における前記出力センサでの検出値と、前記温度センサでの検出値と、に基づいて前記診断対象出力を算出するものである、
請求項１に記載の燃料電池システム。
【請求項３】
前記反応ガス供給装置は、前記燃料電池に酸化ガスを供給するコンプレッサであり、
前記温度センサは、前記燃料電池に供給される酸化ガスの温度を検出するものであり、
前記出力診断手段は、前記コンプレッサの最大出力時における前記出力センサでの検出値を前記温度センサでの検出値に基づいて補正し、この補正後の値を前記診断対象出力とするものである、
請求項２に記載の燃料電池システム。
【請求項４】
前記燃料電池は、複数の単電池を複数積層してなる燃料電池スタックを有し、
前記出力センサは、前記燃料電池スタックの出力電圧又は前記燃料電池スタックを構成する前記単電池の出力電圧を検出するものである、
請求項２又は３に記載の燃料電池システム。
【請求項５】
反応ガスの供給を受けて発電を行う燃料電池を備える燃料電池システムの前記燃料電池の出力を診断する方法であって、
前記燃料電池に供給される反応ガスに含まれる反応気体量が最大である時の前記燃料電池の出力を診断対象出力として算出する出力算出工程と、
前記診断対象出力が所定の判定値以上であるか否かを判定し、前記診断対象出力が前記判定値未満である場合に前記燃料電池の出力が異常であると診断する出力判定工程と、
を備える、
燃料電池の出力診断方法。
【発明の詳細な説明】
【技術分野】
【０００１】
本発明は、燃料電池システム及び燃料電池の出力診断方法に関する。
【背景技術】
【０００２】
現在、反応ガス（燃料ガス及び酸化ガス）の供給を受けて発電を行う燃料電池を備えた燃料電池システムが提案され、実用化されている。燃料電池システムは、反応ガスを燃料電池に供給する反応ガス供給系と、この反応ガス供給系を制御する制御装置と、を備えており、制御装置は、要求発電量に応じて燃料電池システム内の各機器の動作を制御し、要求発電量に応じた量の反応ガスを燃料電池に供給する。
【０００３】
このような燃料電池システムの燃料電池は、運転期間や運転条件に応じて劣化し、その最大出力が低下する。そこで、近年においては、燃料電池を構成する単電池の出力（電圧等）を定期的に監視し、燃料電池の使用開始当初の出力と現在の出力とに基づいて出力低下率を算出する出力診断技術が提案されている（例えば、特許文献１参照）。特許文献１に記載された技術によれば、算出した出力低下率に応じて、燃料電池の出力不足分を二次電池で補うことが可能となる。
【特許文献１】特開２００１−２３６６７号公報
【発明の開示】
【発明が解決しようとする課題】
【０００４】
ところで、特許文献１に記載の技術における出力診断方法は、燃料電池の使用開始当初における電圧センサの検出値と、診断時の電圧センサの検出値と、を比較するものである。
【０００５】
しかし、電圧センサの検出値は、反応ガスの流量に応じて変動する。また、反応ガスに含まれる反応気体量（モル量）は、反応ガスの温度に応じて変動する。すなわち、反応ガス中の反応気体量及び温度は反比例の関係にあるため、同一流量の反応ガスで比較すると、低温時における反応気体量は高温時における反応気体量よりも多くなる。従って、同一流量であっても温度が異なる反応ガスを供給したときに検出した出力電圧は、同一条件で測定した出力電圧であるとはいえないことになる。
【０００６】
燃料電池の出力診断は長期間に亘って様々な温度環境下で行われるものであるが、前記した特許文献１に記載されたような従来の出力診断方法を採用すると、同一条件で測定された出力センサの検出値同士を比較判定することができないため、精度の良い出力診断を行うことができないという問題点があった。一方、均一な環境の検査空間に燃料電池を搬入して出力診断を行うことは、多大な労力や時間を要するため、現実的ではない。
【０００７】
本発明は、かかる事情に鑑みてなされたものであり、燃料電池システムにおいて、燃料電池の出力診断精度を向上させることを目的とする。
【課題を解決するための手段】
【０００８】
前記目的を達成するため、本発明に係る燃料電池システムは、反応ガスの供給を受けて発電を行う燃料電池と、この燃料電池の出力を診断する出力診断手段と、を備える燃料電池システムであって、出力診断手段は、燃料電池に供給される反応ガスに含まれる反応気体量が最大である時の燃料電池の出力を診断対象出力として算出するとともに、診断対象出力が所定の判定値以上であるか否かを判定し、診断対象出力が前記判定値未満である場合に燃料電池の出力が異常であると診断するものである。
【０００９】
また、本発明に係る出力診断方法は、反応ガスの供給を受けて発電を行う燃料電池を備える燃料電池システムの燃料電池の出力を診断する方法であって、燃料電池に供給される反応ガスに含まれる反応気体量が最大である時の燃料電池の出力を診断対象出力として算出する出力算出工程と、診断対象出力が所定の判定値以上であるか否かを判定し、診断対象出力が前記判定値未満である場合に燃料電池の出力が異常であると診断する出力判定工程と、を備えるものである。
【００１０】
かかる構成及び方法によれば、燃料電池に供給される反応ガスに含まれる反応気体量（モル量）が最大である時の燃料電池の出力を診断対象出力として、出力診断を行うことができる。従って、温度環境の変動に起因した反応気体量の変動の影響を排除した出力診断を行うことができるため、燃料電池の出力診断の精度を向上させることができる。ここで、「反応気体」とは、例えば燃料ガス中の水素や酸化ガス中の酸素等のように、燃料電池における電気化学反応により消費される気体そのものを意味する。また、「反応ガス」とは、例えば反応気体である水素が所定の濃度で含まれる燃料ガスや、反応気体である酸素が所定の濃度で含まれる酸化ガス等のように、反応ガス供給流路中を流れる流体を意味する。
【００１１】
前記燃料電池システムにおいて、燃料電池に反応ガスを供給する反応ガス供給装置と、燃料電池の出力を検出する出力センサと、燃料電池に供給される反応ガスの温度を検出する温度センサと、を備えることができる。かかる場合において、反応ガス供給装置の最大出力時における出力センサでの検出値と、温度センサでの検出値と、に基づいて診断対象出力を算出する出力診断手段を採用することができる。
【００１２】
また、前記燃料電池システムにおいて、燃料電池に酸化ガスを供給するコンプレッサを反応ガス供給装置として採用するとともに、コンプレッサの最大出力時における出力センサでの検出値を温度センサでの検出値に基づいて補正し、この補正後の値を診断対象出力とする出力診断手段を採用することができる。
【００１３】
また、前記燃料電池システムにおいて、複数の単電池を複数積層してなる燃料電池スタックを有する燃料電池を採用するとともに、燃料電池スタックの出力電圧又は燃料電池スタックを構成する単電池の出力電圧を検出する出力センサを採用することができる。
【発明の効果】
【００１４】
本発明によれば、燃料電池システムにおいて、燃料電池の出力診断精度を向上させることが可能となる。
【発明を実施するための最良の形態】
【００１５】
以下、図面を参照して、本発明の実施形態に係る燃料電池システム１について説明する。本実施形態においては、本発明を燃料電池車両（移動体）の車載発電システムに適用した例について説明する。
【００１６】
本実施形態に係る燃料電池システム１は、反応ガス（酸化ガス及び燃料ガス）の供給を受けて電力を発生する燃料電池２、酸化ガスとしての空気を燃料電池２に供給する酸化ガス配管系３、燃料ガスとしての水素ガスを燃料電池２に供給する燃料ガス配管系４、システム全体を統括制御する制御装置５等を備える。
【００１７】
燃料電池２は、例えば固体高分子電解質型で構成され、多数の単電池を積層した構造の燃料電池スタックを有する。燃料電池２の単電池は、イオン交換膜からなる電解質の一方の面に空気極を有し、他方の面に燃料極を有し、さらに空気極及び燃料極を両側から挟みこむように一対のセパレータを有している。一方のセパレータの燃料ガス流路に燃料ガスが供給され、他方のセパレータの酸化ガス流路に酸化ガスが供給され、このガス供給により燃料電池２は電力を発生する。
【００１８】
燃料電池２は、燃料電池スタックの両端に位置する単電池の外側に、順次、カバープレート、出力端子付きのターミナルプレート及び絶縁プレートを積層し、その外側にエンドプレートを配置して構成されている。燃料電池スタックの一端側のエンドプレートには、燃料電池スタック内に各種流体（酸化ガス、燃料ガス、冷媒）を供給する流体配管の接続部と、燃料電池スタック内を通過した各種流体を外部に排出する流体配管の接続部と、が設けられている。
【００１９】
また、燃料電池２には、電圧センサ２１及び温度センサ２２が設けられている。電圧センサ２１は、燃料電池２の出力電圧を検出する。本実施形態においては、燃料電池スタック全体の出力電圧を検出する電圧センサ２１を採用している。なお、１つの単電池の電圧を検出する電圧センサや、所定数の単電池を積層した組電池の電圧を検出する電圧センサを採用することもできる。温度センサ２２は、燃料電池２内の温度を検出する。電圧センサ２１及び温度センサ２２の検出値は、後述する燃料電池２の出力診断に用いられる。
【００２０】
燃料電池２への酸化ガス及び燃料ガスの供給及び排出は、酸化ガス配管系３及び燃料ガス配管系４によりなされる。また、図示されていない冷媒配管系により燃料電池２への冷媒の供給がなされる。固体高分子電解質型の燃料電池２での電気化学反応は発熱反応であるが、冷媒の供給により、燃料電池２の温度は所定の温度範囲（例えば約６０〜７０℃）に保たれる。酸化ガス及び燃料ガスは、反応ガスと総称されるものである。また、燃料電池２から排出される酸化ガス及び燃料ガスは、それぞれ酸素オフガス及び燃料オフガスと称され、これらは反応オフガスと総称されるものである。以下では、酸化ガスとして空気（酸素）を例に、また、燃料ガスとして水素ガスを例に説明する。
【００２１】
酸化ガス配管系３は、燃料電池２に供給される酸化ガスが流れる空気供給流路３１と、燃料電池２から排出された酸化オフガスが流れる排気流路３２と、を有している。空気供給流路３１には、フィルタ３３を介して酸化ガスを取り込むコンプレッサ３４と、コンプレッサ３４により圧送される酸化ガスを加湿する加湿器３５と、が設けられている。排気流路３２を流れる酸化オフガスは、背圧調整弁３６を通って加湿器３５で水分交換に供された後、図示されていない希釈器において水素オフガスと合流して水素オフガスを希釈し、最終的に排ガスとしてシステム外の大気中に排気される。コンプレッサ３４は、図示されていないモータの駆動により大気中の酸化ガスを取り込んで燃料電池２に供給するものであり、本発明における反応ガス供給装置の一実施形態として機能する。また、酸化ガス配管系３の空気供給流路３１には、燃料電池２に供給される酸化ガスの流量及び温度を検出する流量センサ３７及び温度センサ３８が設けられている。
【００２２】
燃料ガス配管系４は、水素供給源４１と、水素供給源４１から燃料電池２に供給される水素ガスが流れる水素供給流路４２と、燃料電池２から排出された水素オフガス（燃料オフガス）を水素供給流路４２の合流点Ａに戻すための循環流路４３と、循環流路４３内の水素オフガスを水素供給流路４２に圧送する水素ポンプ４４と、循環流路４３に分岐接続された排気排水流路４５と、を有している。
【００２３】
水素供給源４１は、例えば高圧タンクや水素吸蔵合金などで構成され、所定圧力（例えば３５ＭＰａ又は７０ＭＰａ）の水素ガスを貯留可能に構成される。後述する遮断弁４６を開くと、水素供給源４１から水素供給流路４２に水素ガスが流出する。なお、炭化水素系の燃料から水素リッチな改質ガスを生成する改質器と、この改質器で生成した改質ガスを高圧状態にして蓄圧する高圧ガスタンクと、から水素供給源４１を構成してもよい。また、水素吸蔵合金を有するタンクを水素供給源４１として採用することもできる。
【００２４】
水素供給流路４２には、水素供給源４１からの水素ガスの供給を遮断又は許容する遮断弁４６と、水素ガスの圧力を調整するレギュレータ４７と、インジェクタ４８と、が設けられている。レギュレータ４７は、その上流側圧力（一次圧）を、予め設定した二次圧に調圧する減圧弁である。インジェクタ４８は、弁体を電磁駆動力で直接的に所定の駆動周期で駆動して弁座から離隔させることによりガス流量やガス圧を調整することが可能な電磁駆動式の開閉弁である。インジェクタ４８は、その下流に要求されるガス流量を供給するために、インジェクタ４８のガス流路に設けられた弁体の開口面積（開度）及び開放時間の少なくとも一方を変更することができるように構成されている。
【００２５】
循環流路４３は、水素オフガスを水素供給流路４２に戻すための戻り配管である。循環流路４３には、気液分離器７０及び排気排水弁７１を介して、排気排水流路４５が接続されている。気液分離器７０は、水素オフガスから水分を回収する。排気排水弁７１は、制御装置５からの指令によって作動することにより、気液分離器７０で回収した水分と、循環流路４３内の不純物を含む水素オフガス（燃料オフガス）と、を外部に排出（パージ）する。排気排水弁７１及び排気排水流路４５を介して排出される水素オフガスは、図示されていない希釈器において排気流路３２内の酸化オフガス（空気）と合流して希釈される。
【００２６】
水素ポンプ４４は、図示されていないモータの駆動により、循環系内の水素ガスを燃料電池２に循環供給する。このように、水素供給流路４２の合流点Ａの下流側流路と、燃料電池２のセパレータに形成される燃料ガス流路と、循環流路４３と、によって水素ガスの循環系が構成される。循環系内を流れる流体には、水素オフガスのみならず、水素オフガスに比べると微量ではあるが、水分（生成水）、電解質膜を介して透過してきた窒素ガス、及び配管内のコンタミが含まれる。
【００２７】
制御装置５は、内部にＣＰＵ，ＲＯＭ，ＲＡＭを備えたマイクロコンピュータとして構成される。ＣＰＵは、制御プログラムに従って所望の演算を実行して、種々の処理や制御を行う。ＲＯＭは、ＣＰＵで処理する制御プログラムや制御データを記憶する。ＲＡＭは、主として制御処理のための各種作業領域として使用される。
【００２８】
制御装置５は、車両に設けられた加速用の操作部材（アクセルペダル等）の操作量を検出し、加速要求値（例えばトラクションモータ等の負荷装置からの要求発電量）等の制御情報を受けて、システム内の各種機器の動作を制御する。なお、負荷装置とは、トラクションモータのほかに、燃料電池２を作動させるために必要な補機装置（例えばコンプレッサ３４や水素ポンプ４４の各モータ等）、車両の走行に関与する各種装置（車輪制御装置、操舵装置、懸架装置等）で使用されるアクチュエータ、乗員空間の空調装置（エアコン）、照明、オーディオ等を含む。
【００２９】
制御装置５は、図示していないコンピュータシステムによって構成されている。かかるコンピュータシステムは、ＣＰＵ、ＲＯＭ、ＲＡＭ、ＨＤＤ、入出力インタフェース及びディスプレイ等を備えるものであり、ＲＯＭに記録された各種制御プログラムをＣＰＵが読み込んで所望の演算を実行することにより、後述する出力診断など種々の処理や制御を行う。
【００３０】
制御装置５には、燃料電池２の出力に相当する電圧センサ２１及び電流センサ２２での検出値が入力される。また、各配管系を流れる流体の圧力、温度、流量等を検出するセンサ（例えば、燃料電池２に設けられた温度センサ２２、空気供給流路３１に設けられた流量センサ３７及び温度センサ３８、図示していない外気温センサ等）の検出値が入力される。制御装置５は、要求発電量及び各センサの検出情報に基づき、コンプレッサ３４、遮断弁４６、インジェクタ４８等を駆動制御して、燃料電池２内に要求発電量に応じた量の反応ガスを供給すると共に、排気排水弁７１及び水素ポンプ４４等を駆動制御して、パージ動作及び水素オフガスの循環を行う。そして、制御装置５は、燃料電池システム１の運転中に、燃料電池２の出力診断を行う。すなわち、制御装置５は、本発明における出力診断手段の一実施形態として機能する。
【００３１】
以下、図２のフローチャートを用いて、本実施形態に係る燃料電池システム１の燃料電池２の出力診断方法について説明する。
【００３２】
燃料電池２を構成する各単電池は、長期運転を行うとイオン交換膜や空気極等の経時劣化が起こり、これによりセル電圧の低下が引き起こされる。また、燃料電池２内の反応ガス流路にも目詰まりや漏れなどの劣化が起こる可能性があり、これらも出力低下の原因となる。なお、これ以外にも種々の理由により出力低下が引き起こされる。このような経時劣化が進行すると、燃料電池２の出力（発電量）が基準値に達しなくなる。具体的には、制御装置５が反応ガスを最大量供給しても燃料電池２の出力電圧が基準値に達しなくなる。
【００３３】
そこで、本実施形態においては、反応ガスに含まれる反応気体量を最大にしたとき、より具体的には、酸化ガス（空気）に含まれる酸素のモル量を最大にしたときの燃料電池２の出力電圧を求めて基準値に達しているか否か判定することにより、燃料電池２の出力診断を行う。本実施形態における出力診断方法の特徴は、最大出力で稼働させたコンプレッサ３４から酸化ガスを供給したときの電圧センサ２１の検出値を、酸化ガスの温度等に基づいて補正することにより、燃料電池２に供給される酸素のモル量が最大のときの出力電圧を算出し、この算出した出力電圧を診断対象出力とすることである。
【００３４】
図示していない操作部等からの診断開始信号を受けて、燃料電池２の出力診断を開始した制御装置５は、まず、システムが所定の診断対象出力を発揮可能な温度か否かを判定するため、燃料電池２内の温度を検出する温度センサ２２の検出値に基づいて、燃料電池２が所定の運転温度に到達したか否かの判定を行う（温度判定工程：Ｓ１）。
【００３５】
制御装置５は、温度判定工程Ｓ１において、温度センサ２２の温度が基準値以上であると判定した場合には、燃料電池システム１の運転状態を、酸化ガスの供給量を最大にした運転状態（コンプレッサ３４の出力を最大にした運転状態）に切替える（酸化ガス最大供給工程：Ｓ２）。一方、制御装置２は、温度判定工程Ｓ１において、温度センサ２２の温度が基準値未満であると判定した場合には、一定時間の燃料電池システム１の運転又は予熱を行い（運転継続工程：Ｓ３）、その後、温度判定工程Ｓ１に戻って処理を続行する。なお、制御装置２は、温度判定工程Ｓ１において温度センサ２２の温度が基準値未満であると判定した場合に処理を終了することもできる。
【００３６】
酸化ガス最大供給工程Ｓ２に次いで、制御装置５は、燃料電池２に設けられた電圧センサ２１の検出値を取得する（出力検出工程：Ｓ４）。また、制御装置５は、出力検出工程Ｓ４における出力電圧の検出と同じタイミングで、出力電圧の補正に用いる種々のデータ、具体的には、酸化ガス配管系３に設けた流量センサ３７及び温度センサ３８の検出値（実際に流れた酸化ガスの流量データ及び温度データ）を取得する。なお、酸化ガスは外気から取り入れられるので、酸化ガスの温度を直接的に測定する代わりに外気温を測定し、外気温に基づいて燃料電池２内に供給される酸化ガスの温度を推定することもできる。
【００３７】
次いで、制御装置５は、出力検出工程Ｓ４で得られたデータに基づき、出力電圧の補正を行う（出力補正工程：Ｓ５・Ｓ６）。補正処理は、例えば、以下の手順で行う。
【００３８】
まず、制御装置５は、酸化ガスの流量データ（流量センサ３７の検出値）に基づき、出力電圧測定時における酸化ガスの流量が実際に最大流量であるか否かの判定を行い、最大流量である場合は、電圧センサ２１の検出値がそのまま最大流量の時の出力電圧であるので、この値をそのまま用いる。一方、コンプレッサ３４の不具合等に起因して実際の酸化ガスの流量が最大流量でない場合は、電圧センサ２１の検出値を最大流量時の出力電圧に補正する。具体的には、流量と出力電圧との関係を規定するマップ等を用いて、最大流量時の出力電圧を求める第１の補正を行う（第１の出力補正工程：Ｓ５）。
【００３９】
次に、制御装置５は、酸化ガスの温度データ（温度センサ３８の検出値）に基づき、出力電圧測定時における酸化ガス中の酸素のモル量（反応気体量）が最大であるか否かの判定を行い、最大値である場合には、特に補正を行うことなく次の工程に移行する。一方、最大値でない場合には、測定された出力電圧（第１の補正を行った場合は補正後の値）を、モル量最大時の出力電圧に補正する。具体的には、モル量と温度との関係を規定する関係式や、モル量と出力電圧との関係を規定するマップ等を用いて、モル量最大時の出力電圧を求める第２の補正を行う（第２の出力補正工程：Ｓ６）。
【００４０】
そして、制御装置５は、これら出力補正工程Ｓ５・Ｓ６を経て算出した出力電圧データを、診断対象出力として制御装置５のＲＡＭ等に記憶させる。出力補正工程Ｓ５・Ｓ６は、本発明における出力算出工程の一実施形態に相当するものである。
【００４１】
続いて、制御装置５は、出力補正工程Ｓ５・Ｓ６で得られた診断対象出力を、燃料電池２の使用開始当初における酸素のモル量最大時の出力電圧と比較し、出力低下量が所定の基準値以内であるか否か判定する（出力判定工程：Ｓ７）。ここで、燃料電池２の使用開始当初における酸素のモル量最大時の出力電圧から所定の基準値を減じた値は、本発明における所定の判定値に相当する。制御装置５は、出力低下量が基準値以内であれば（すなわち診断対象出力が所定の判定値以上であれば）、合格と判定し、基準値を越えていれば（すなわち診断対象出力が所定の判定値未満であれば）、経年劣化により規定の出力が得られないものとして、要交換と判定する。この後、制御装置５は、出力診断処理を終了する。
【００４２】
なお、本実施形態に係る燃料電池システム１は、所定の周期あるいはタイミングで燃料電池２の出力診断を行うことができる。例えば、制御装置５に格納されたプログラムにより、所定の条件を満たした時（例えば、車両停止指令信号を受けた時）に自動で出力診断を開始してもよいし、車両の定期点検時等に点検員の操作により手動で出力診断を開始してもよい。
【００４３】
以上説明した実施形態に係る燃料電池システム１においては、制御装置５が、燃料電池２の出力診断処理を行い、診断時の燃料電池２の出力が所定の判定値以上か否かによって、合格か否かを判定する。出力診断処理は、燃料電池２の出力電圧を検出する電圧センサの検出値をそのまま用いるのでなく、診断時の酸化ガスの流量及び温度に基づき、酸化ガス中の酸素のモル量（反応気体量）が最大の場合の燃料電池２の出力電圧を算出するように検出値を補正し、この補正した出力電圧を診断対象出力とするものである。このような補正を行うと、供給されたモル量が最大の場合の過去の出力電圧データと比較できる。すなわち、同一条件での過去の出力電圧データと現在の出力電圧データを比較することができるので、温度環境の変動に起因したモル量の変動の影響を排除した出力診断を行うことができるため、燃料電池２の出力診断の精度を向上させることができる。
【００４４】
なお、以上の実施形態においては、電圧センサ２１で燃料電池２全体の出力電圧を検出して燃料電池２全体の出力診断を行った例を示したが、各単電池に電圧センサを設けて単電池毎に出力診断を行ったり、複数の単電池を積層したブロックごとに出力診断を行ったりすることもできる。このようにすれば、燃料電池２内のどの部分で出力が低下したのかを判定することができ、劣化した部分のみを交換することができる。
【００４５】
また、以上の実施形態においては、本発明に係る燃料電池システムを燃料電池車両に搭載した例を示したが、燃料電池車両以外の各種移動体（例えばロボット、船舶、航空機、電車等）に本発明に係る燃料電池システムを搭載することもできる。また、本発明に係る燃料電池システムを、建物（例えば住宅、ビル、工場等）用の発電設備として用いられる定置用発電システムに適用してもよい。
【図面の簡単な説明】
【００４６】
【図１】本発明の実施形態に係る燃料電池システムの構成図である。
【図２】図１に示す燃料電池システムの出力診断処理のフローチャートである。
【符号の説明】
【００４７】
１…燃料電池システム、２…燃料電池、３…酸化ガス配管系（反応ガス供給系）、５…制御装置（出力診断手段）、２１…電圧センサ（出力センサ）、３４…コンプレッサ（反応ガス供給装置）、３８…温度センサ。
【図１】
2008262875.tif 000003
【図２】
2008262875.tif 000004